(57)【要約】【課題】壁面に固定するための壁取付部材と壁取付部材を覆う筒状のリング取り付け部材とリング状もしくはバー状のタオル掛け部材からなるタオル掛けにおいて、タオル掛け部の振れ止めを防止する専用部品を必要とせず、またタオル掛けの取り付け作業の際に振れ止め防止部が邪魔になることがなく、取り付け作業を容易に行うことができるタオル掛けを提供する。【解決手段】壁取付部材にタオル掛け部材の振れ防止をなす振れ止部を一体的に形成する。【選択図】  図１
2004298277.tif 000002
【特許請求の範囲】
【請求項１】
壁面に固定するための壁取付部材と壁取付部材を覆う筒状のリング取り付け部材と１ヶ所を切り欠いたリング状部材からなるタオル掛けにおいて、壁取付部材前端に切り欠き部の両端部が当接してリング部材の振れを防止する振れ止部を一体的に形成したことを特徴とするタオル掛器具。
【請求項２】
前記振れ止部の先端がテーパー状になっていることを特徴とする請求項１記載のタオル掛け器具
【発明の詳細な説明】
【０００１】
【発明の属する技術分野】
本発明は、タオル等を掛けるために用いるリング状もしくは棒状のタオル掛けに関する。
【０００２】
【従来の技術】
従来、上記使用目的のために開発されたタオル掛けとしては、第７図（特許文献１参照。）に示すように、壁面等に予めねじ３０・３０で有底の筒状を成している支持体３１を固定し、その後リング状をなすタオル掛け部３２の両端部３２ａと３２ｂを支持体３１の一対の貫通孔３３を通じてその内部に挿入し、その後化粧キャップ３４を支持体３１の前端開口部３７に装着して、支持体３１の前端開口部３７を閉鎖している。この化粧キャップ３４の内面中心部において、タオル掛け部３２の振れ止め部３５が一体に形成されており、この振れ止め部３５がタオル掛け部３２の両端部３２ａと３２ｂとの間に嵌め込まれることによって、タオル掛け部３２の振れを防止している。また図８に示すように、タオル掛け部４０の振れを防止するためにタオル掛け部４０の両端部４０ａと４０ｂとの間に振れ止め部材４１を嵌め合わせているものもある。
【０００３】
【特許文献１】
特開２００１−１４５５８６号公報
【０００４】
【発明が解決しようとする課題】
しかしながら第７図に示すタオル掛けにおいては、タオル掛けの使用上タオルを掛けるために壁面からタオル掛け部までの奥行きが必要になるため、ねじ３０を取り付けるねじ孔３６が支持体３１の前端開口部から奥深くに位置するので、ねじ３０を支持体３１の前端開口部３７から内部に挿入しねじ孔３６を通して同ねじ３０を壁面に取り付ける作業が大変困難である。また、タオル掛け部３２を支持体３１に取り付けてから該支持体３１を壁面に取り付ける場合は、ねじ３０を支持体３１に挿入する際に支持体３１の内側でタオル掛け部３２の両端部３２ａと３２ｂが邪魔になり、取り付け作業がさらに困難になってしまうという問題が生じる。また第８図に示すタオル掛けにおいては、振れ止め部材を作成するコストが生じ、また振れ止め部材４１が小さいためこれを嵌め合わせるための作業が困難になるという問題も生じる。
【０００５】
本発明は、上記課題を解決するためになされたもので、本発明の目的は、タオル掛け部の振れ止めを防止する専用部品を必要とせず、またタオル掛けの取り付け作業の際に振れ止め部が邪魔になることがなく、取り付け作業を容易に行うことができるタオル掛けを提供することにある。
【０００６】
【課題を解決するための手段】
上記課題を解決するために請求項１は、壁面に固定するための壁取付部材と壁取付部材を覆う筒状のリング取り付け部材とリング状もしくはバー状のタオル掛け部材からなるタオル掛けにおいて、壁取付部材にタオル掛け部材の振れ防止をなす振れ止部を一体的に形成した。このように、タオル掛け部の振れ止めを防止する専用部品を必要とせず、またタオル掛けの取り付け作業の際に振れ止め防止部が邪魔になることがないため取り付け作業を容易に行うことができる。
【０００７】
上記課題を解決するために請求項２は、前記振れ止部の先端がテーパー状になっている。このためリングを取り付けた状態のリング取り付け部材を壁取付部材に被せる作業が容易である。
【０００８】
【実施例】
以下、本発明の実施例を図面に基づいて説明する。
【０００９】
図１において、タオル掛けは壁面等に固定される壁面取付部材６と、筒状のリング取付部材２と、１ヶ所を切り欠いたリング状をなすタオル掛け部３から成る。リング取付部材２はその両側面に円形の挿入孔４・４が形成されており、その挿入孔４・４を通じてタオル掛け部３の切り欠き部分の両端部３ａ・３ｂがリング取付部材２内部に挿入され、タオル掛け部３がリング取付部材２に取り付けられる。壁面取付部材６は壁取付ネジ８によって壁面に固着状態に取り付けられており、リング取付部材２が同壁面取付部材６に被せられ、連結ネジ９によって連結固定される。
【００１０】
この壁面取付部材６には、壁取付ネジ８・８で壁面に固着状態に取り付けられる基部１０が形成されており、その基部１０の中心部から前方側へリング取付部材２を連結固定するためのネジを入れる連結ネジ取付部５が形成され、その連結ネジ取付部５の先端には、リングの横振れを止める振れ止部１が一体に形成されている。
【００１１】
壁面取付部材６にリング取付部材２が被せられ、ビス９によって連結固定される際に、振れ止部１はタオル掛け部３の両端部３ａ・３ｂの間に嵌め込まれる。これにより振れ止め部１がタオル掛け部３の両端部３ａと３ｂの振れを止めることができる。
【００１２】
次に、図５は第２実施例を示し、壁面取付部材６の振れ止め部１をテーパー状にしたものである。振れ止め部１はテーパー状にすることによってタオル掛け部３の両端部３ａと３ｂの間に嵌め込みやすくなり、壁取付部材６にリングを取り付けた状態のリング取付部材２を被せる作業が容易になる。
【００１３】
次に、図６は第３実施例を示し、壁面取付部材６が金属などの硬い素材で形成された場合に適応するものであり、振れ止め部１に樹脂やゴムなどの素材のキャップ７を嵌め合わせることによりタオル掛け部３の両端部３ａ・３ｂと振れ止め防止部が擦れ合う金属音がせずに良好にタオル掛け器具を使用することができる。
【００１４】
【発明の効果】
本発明のタオル掛けにおいては、壁面に固定するための壁取付部材に、タオル掛け部材の横振れ防止をなす振れ止部を一体的に形成したことによって、タオル掛け部の振れ止めを防止する専用部品を必要とせず、またタオル掛けの取り付け作業の際に振れ止め防止部が邪魔になることがなく、取り付け作業を容易に行うことができる。
【図面の簡単な説明】
【図１】本発明の取り付け構成を示す断面構成図である。
【図２】本発明の一実施例を示す正面図である。
【図３】本発明の取り付け構成を示す断面構成図である。
【図４】本発明の第一実施例の壁面取付部材を示す斜視図である。
【図５】本発明の第二実施例の壁面取付部材を示す斜視図である。
【図６】本発明の第三実施例の壁面取付部材を示す斜視図である。
【図７】従来のタオル掛け器具の一例を示す図である。
【図８】従来のタオル掛け器具の一例を示す図である。
【符号の説明】
１…振れ止め部
２…リング取付部材
３…タオル掛け部
４…挿入孔
５…連結ネジ取付部
６…壁面取付部材
７…キャップ
８…壁取付ネジ
９…連結ネジ
１０…基部
【図１】
2004298277.tif 000003
【図２】
2004298277.tif 000004
【図３】
2004298277.tif 000005
【図４】
2004298277.tif 000006
【図５】
2004298277.tif 000007
【図６】
2004298277.tif 000008
【図７】
2004298277.tif 000009
【図８】
2004298277.tif 000010